(57)【要約】【課題】カメラ機能を起動したスマートフォンを、自分の真正面に向けた状態で、レンズ面側の画角を最大１８０°持ち、縦に対して横に大きい映像で表示することができる直角プリズム付き装着機構を提供する。【解決手段】直角プリズム付き装着機構ＷＰは、入射面（直角プリズム入射面ＰＳ１）、反射面および出射面（直角プリズム出射面ＰＳ２）を備え、入射面から入射した光を出射面に反射し、入射面は高さより幅が大きい形状となっている直角プリズムを搭載し、出射面を、カメラ機能を起動したスマートフォンのカメラレンズと重なる位置に装着する。【選択図】図６
0003232456.tif 000002
【実用新案登録請求の範囲】
【請求項１】
入射面、反射面および出射面を備える直角プリズムと、
前記出射面を露出して、前記出射面の周囲に設けられた、前記直角プリズムを支持する支持台と、
を有する、直角プリズム付き装着機構。
【請求項２】
請求項１記載の直角プリズム付き装着機構において、
前記直角プリズムの前記出射面を、カメラ機能を起動したスマートフォンのカメラレンズと重なる位置に装着した場合、前記カメラレンズのレンズ面側の画角を最大１８０°持ち、縦に対して横に広い映像で前記スマートフォンの画面に表示することができる、直角プリズム付き装着機構。
【請求項３】
請求項１または２記載の直角プリズム付き装着機構において、
前記支持台の中心を軸として、前記直角プリズムとともに前記支持台の向きが変更できる、直角プリズム付き装着機構。
【考案の詳細な説明】
【技術分野】
【０００１】  本考案は、スマートフォン（以下、スマホと略する場合もある。）等の電子機器に取り付ける直角プリズム付き装着機構に関するものである。
【背景技術】
【０００２】  スマホは年々普及率が高まっており、スマホに搭載されているカメラも、有効画素数の顕著な増加等により、高機能のコンパクトデジタルカメラ等に匹敵する程の高画質画像を得ることが可能になった。その結果、多くの人々が気軽かつ積極的に画像や動画の撮影をスマホにより行う環境が整った。それに伴い、クオリティの高い画像や動画を撮影するために、スマホに取り付ける装置が販売されるようになった。例えば、特開２０１４−０１１７９０号公報（特許文献１）には、スマホ上で動くＣＭＯＳセンサーの制御アプリを使用し、高画質なデジタル写真をスマホで手軽に撮影することを可能とする装置が記載されている。
【先行技術文献】
【特許文献】
【０００３】
【特許文献１】特開２０１４−０１１７９０号公報
【考案の概要】
【考案が解決しようとする課題】
【０００４】  しかし、これらの取り付ける装置に内蔵されるレンズやプリズムの光が入る入射面は、幅よりも縦が大きくなっており、スマホのカメラ部分に装着し、カメラ機能を起動してスマホ画面を見た際に、縦に対して横が狭い画角になり、撮影対象全体を映すことが難しい場合がある。
【課題を解決するための手段】
【０００５】  一実施の形態による直角プリズム付き装着機構は、入射面、反射面および出射面を備える直角プリズムと、出射面を露出して、出射面の周囲に設けられた、直角プリズムを支持する支持台とを有しており、支持台の中心を軸として、直角プリズムとともに支持台の向きを変更することができる。
【考案の効果】  一実施の形態によれば、直角プリズムの出射面を、カメラ機能を起動したスマホのカメラレンズと重なる位置に装着した場合、スマホ画面の向きが自分と真正面にある状態を維持していても、支持台の中心を軸として直角プリズムとともに支持台の向きを変更することができる。これにより、カメラレンズのレンズ面側の画角を最大１８０°持つ状態となり、入射面の縦に対して横に大きい直角プリズムの形状により、縦に対して横に広い映像でスマホ画面に撮影画像を表示することができる。
【図面の簡単な説明】
【０００６】
【図１】本考案の実施の形態に係るクリップの第１部分表面から見た斜視図である。
【図２】本考案の実施の形態に係る直角プリズムのある部分の入射面側から見た斜視図と、入射面と支持台の角度を示した図である。
【図３】本考案の実施の形態に係る台座の表面を真正面から見た図である。
【図４】本考案の実施の形態に係る直角プリズムの内部構造で、光が直角プリズムで反射する様を示した図である。
【図５】本考案の実施の形態に係る直角プリズムを正面から見た図であり、入射面の高さよりも幅の方が大きいことを示した図である。
【図６】本考案の実施の形態に係る直角プリズム付き装着機構の第１部分側から見た斜視図と、第２部分側から見た斜視図である。
【図７】図６の状態で、直角プリズムのある部分と台座を回転させることで、直角プリズムのある部分と台座の向きを３６０度変更できることを示す図である。
【図８】図６の状態で、スマートフォンのカメラレンズ部位に直角プリズム付き機構を装着した図である。
【図９】図８の状態で、スマートフォンをスタンドに取り付けてカードゲームのリモート対戦をしている図である。
【考案を実施するための形態】
【０００７】  以下、実施の形態を図面に基づいて詳細に説明する。なお、実施の形態を説明するための全図において、同一の機能を有する部材には同一または関連する符号を付し、その繰り返しの説明は省略する。また、複数の類似の部材（部位）が存在する場合には、総称の符号に記号を追加し個別または特定の部位を示す場合がある。また、以下の実施の形態では、特に必要なとき以外は同一または同様な部分の説明を原則として繰り返さない。
【０００８】  図６に示す本実施の形態に係る直角プリズム付き装着機構ＷＰは、図１に示す第１部分Ｃ１および第２部分Ｃ２からなるクリップＣと、図２に示す直角プリズムＰおよび支持台ＰＥ１からなる直角プリズムのある部分ＴＰとから構成される。図１に示すように、クリップＣの第１部分Ｃ１は第１表面と第１裏面とを有し、第１表面から第１裏面を貫通する貫通孔が形成されている。クリップＣの第２部分Ｃ２は第２表面と第２裏面とを有しており、第１部分Ｃ１の第１裏面と第２部分Ｃ２の第２裏面とは対向している。図２に示す直角プリズムのある部分ＴＰは、図３に示す台座ＰＥ２を用いて直角プリズムのある部分ＴＰに組み合わせて使用する。
【０００９】  図２に示すように、直角プリズムのある部分ＴＰは、直角プリズムＰと、直角プリズムＰに接し、直角プリズムＰを支持する支持台ＰＥ１とから構成され、光の入射面である、直角プリズム入射面ＰＳ１と支持台ＰＥ１とが９０度以上かつ１３５度以下の角度を有している。図４に示すように、直角プリズムＰは、直角プリズム入射面ＰＳ１から入った入射光ＬＬを、直角プリズム出射面ＰＳ２に反射する構造となっている。また、図５に示すように、直角プリズム入射面ＰＳ１の幅Ｗは、直角プリズム入射面ＰＳ１の高さＨよりも大きくなっている。
【００１０】  図６に示すように、クリップＣ、直角プリズムのある部分ＴＰ、台座ＰＥ２を組み合わせると、直角プリズム付き装着機構ＷＰになる。
【００１１】  図７に示すように、直角プリズム付き装着機構ＷＰは、直角プリズムのある部分ＴＰと台座ＰＥ２（図示は省略）を搭載する円形部の中心を軸として、直角プリズムのある部分ＴＰと台座ＰＥ２を回転させることができ、様々な角度を撮影することができる。
【００１２】  図６に示す状態で、直角プリズム付き装着機構ＷＰを、直角プリズム出射面ＰＳ２とスマートフォンＳＰのカメラレンズが重なる位置に装着すると、図８に示す状態になる。
【００１３】  図９に示すように、図８に示す状態の直角プリズム付き装着機構ＷＰをスタンドＳに取り付けて、スマートフォンＳＰのビデオ通話機能を搭載したアプリケーションを用いて、インターネット上で他者と様々な角度の映像を共有できる。例えば、カードゲームをしている状態の盤面を映し合いながら通話することで、インターネットが繋がったスマートフォンＳＰおよび直角プリズム付き装着機構ＷＰを所持する相手と対面せずに対戦することが出来る。図９中、符号ＰＬはプレイマット、Ｔはテーブル、ＴＣはトレーディングカードを示す。
【００１４】  以上、本考案者らによってなされた考案を実施の形態に基づき具体的に説明したが、本考案は前記実施の形態に限定されるものではなく、その要旨を逸脱しない範囲で種々変更可能であることはいうまでもない。
【００１５】  本実施の形態では、直角プリズム入射面ＰＳ１は下向きに使用することを想定しているが、横向きや上向きに使用しても良い。
【００１６】  本実施の形態では、クリップＣの第１部分Ｃ１は、第１表面から第１裏面を貫通する貫通孔が形成されているが、貫通孔が形成されていなくても良い。
【００１７】  本実施の形態では、第１部分Ｃ１および第２部分Ｃ２からなるクリップＣを使用しているが、クリップでなくても良い。
【００１８】  本実施の形態では、直角プリズムのある部分ＴＰと台座ＰＥ２は円形となっているが、円形でなくても良い。
【００１９】  本実施の形態では、直角プリズムのある部分ＴＰと台座ＰＥ２は、台座ＰＥ２を中心に回転する構造となっているが、回転しない構造でも良い。
【符号の説明】
【００２０】ＷＰ      直角プリズム付き装着機構
Ｃ        クリップ
Ｃ１      第１部分
Ｃ２      第２部分
ＴＰ      直角プリズムのある部分
Ｐ        直角プリズム
ＰＳ１    直角プリズム入射面
ＰＳ２    直角プリズム出射面
Ｗ        直角プリズム入射面の幅
Ｈ        直角プリズム入射面の高さ
ＬＬ      入射光
ＰＥ１    支持台
ＰＥ２    台座
ＳＰ      スマートフォン
Ｓ        スタンド
ＴＣ      トレーディングカード
ＰＬ      プレイマット
Ｔ        テーブル
【図１】
0003232456.tif 000003
【図２】
0003232456.tif 000004
【図３】
0003232456.tif 000005
【図４】
0003232456.tif 000006
【図５】
0003232456.tif 000007
【図６】
0003232456.tif 000008
【図７】
0003232456.tif 000009
【図８】
0003232456.tif 000010
【図９】
0003232456.tif 000011
【手続補正書】
【提出日】令和3年2月16日(2021.2.16)
【手続補正１】
【補正対象書類名】実用新案登録請求の範囲
【補正対象項目名】全文
【補正方法】変更
【補正の内容】
【実用新案登録請求の範囲】
【請求項１】
カメラが搭載される電子機器に取り付ける直角プリズム付き装着機構であって、
入射面、反射面および出射面を備える直角プリズムと、
前記出射面を露出して、前記出射面の周囲に設けられた、前記直角プリズムを支持する支持台と、
を有する、直角プリズム付き装着機構。
【請求項２】
請求項１記載の直角プリズム付き装着機構において、
前記直角プリズムの前記出射面を、カメラ機能を起動した前記電子機器のカメラレンズと重なる位置に装着した場合、前記カメラレンズのレンズ面側の画角を最大１８０°持ち、縦に対して横に広い映像で前記電子機器の画面に表示することができる、直角プリズム付き装着機構。
【請求項３】
請求項１または２記載の直角プリズム付き装着機構において、
前記支持台の中心を軸として、前記直角プリズムとともに前記支持台の向きが変更できる、直角プリズム付き装着機構。
【手続補正２】
【補正対象書類名】明細書
【補正対象項目名】００１４
【補正方法】変更
【補正の内容】
【００１４】  以上、本考案者らによってなされた考案を実施の形態に基づき具体的に説明したが、本考案は前記実施の形態に限定されるものではなく、その要旨を逸脱しない範囲で種々変更可能であることはいうまでもない。
例えば本実施の形態では、スマートフォンに取り付ける直角プリズム付き装着機構について説明したが、これに限定されるものではなく、例えばスマートフォン以外のカメラが搭載される電子機器にも直角プリズム付き装着機構を取り付けることができる。